(57)【要約】【課題】顎骨に形成するインプラント用の埋入窩の深さを必要以上に深く形成することのないインプラント窩形成用ドリルを提供すること。【解決手段】ドリル刃３ａを有するドリル軸部３が先端側に設けられ且つ回転操作工具に取り付けるためのドリル取付軸部４が基部側に設けられたドリル軸本体１と、ドリル軸本体１の軸線方向の中間部に設けられたストッパ取付部５と、ストッパ取付部５に軸線回りに回転自在に取り付けられたス筒状ストッパ２を備え、ストッパ取付部５は筒状ストッパ２をフィクスチャー必要深さを形成する位置に保持している。【選択図】  図１
2011206195.tif 000002
【特許請求の範囲】
【請求項１】
ドリル刃を有するドリル軸部が先端側に設けられ且つ回転駆動工具に取り付けるための工具取付軸部が基部側に設けられたドリル軸本体と、前記ドリル軸本体の軸線方向の中間部に設けられたストッパ取付部と、前記ストッパ取付部に軸線回りに回転自在に取り付けられたストッパ部材を備え、前記ストッパ取付部は前記ストッパ部材をフィクスチャー必要深さを形成する位置に保持していることを特徴とするインプラント窩形成用ドリル。
【請求項２】
請求項１に記載のインプラント窩形成用ドリルにおいて、前記ストッパ部材は前記ストッパ取付部に回転自在に嵌合保持された筒状ストッパであることを特徴とするインプラント窩形成用ドリル。
【請求項３】
請求項２に記載のインプラント窩形成用ドリルにおいて、前記ストッパ取付部は前記ドリル軸部と前記工具取付軸部との間に設けられた支持フランジを有し、前記筒状ストッパの軸挿通孔内に前記支持フランジが回転自在に保持されていることを特徴とするインプラント窩形成用ドリル。
【請求項４】
請求項３に記載のインプラント窩形成用ドリルにおいて、前記筒状ストッパは、前記筒状ストッパ内の軸挿通孔に設けられた段部と前記筒状ストッパの端部に一体に設けられたストッパ爪との間で回転自在に保持されていることを特徴とするインプラント窩形成用ドリル。
【請求項５】
請求項４に記載のインプラント窩形成用ドリルにおいて、前記支持フランジの前記ドリル軸部側の端面の周縁部には、前記筒状ストッパを前記支持フランジに嵌合させる際に前記ストッパ爪の先端部を半径方向にガイドして前記ストッパ爪を拡開させる大きな面取が施されていることを特徴とするインプラント窩形成用ドリル。
【請求項６】
請求項５に記載のインプラント窩形成用ドリルにおいて、前記支持フランジの周面には周方向に間隔をおいて複数の切欠が形成されていることを特徴とするインプラント窩形成用ドリル。
【請求項７】
請求項２に記載のインプラント窩形成用ドリルにおいて、前記筒状ストッパには前記必要深さを示す識別部を外観から判断可能に設けたことを特徴とするインプラント窩形成用ドリル。
【請求項８】
請求項８に記載のインプラント窩形成用ドリルにおいて、前記識別部は互いに異なる色の着色部又は異なるマーク、若しくはこれらの組み合わせであることを特徴とするインプラント窩形成用ドリル。
【発明の詳細な説明】
【技術分野】
【０００１】
この発明は、歯科医療においてインプラントを埋設させるインプラント窩（埋設穴）を形成するためのインプラント窩形成用ドリルに関するものである。
【背景技術】
【０００２】
歯を失ったときに、インプラントである人工歯根を顎骨に埋め込み、この人工歯根に義歯を装着して、咀嚼や審美性の回復を図るインプラント治療がある。この人工歯根としては、フィクスチャーと呼ばれるチタン製のスクリュータイプやコーンタイプのものが用いられている。このフィクスチャーを埋設するためのインプラント窩（埋設穴）の形成は、一般にドリルやオステオトームを使用して行われる（例えば、特許文献１参照）。
【先行技術文献】
【特許文献】
【０００３】
【特許文献１】特開２００７−３１３２８５号公報
【発明の概要】
【発明が解決しようとする課題】
【０００４】
しかしながら、このドリルを用いる方法では、フィクスチャーを埋設するためのインプラント窩（フィクスチャー埋設穴）の深さを一定にすることが難しく、場合によっては必要以上に深く形成してしまう虞があった。
【０００５】
そこで、この発明は、顎骨に形成するインプラント用の埋設穴の深さを必要以上に深く形成することのないインプラント窩形成用ドリルを提供することを目的とするものである。
【課題を解決するための手段】
【０００６】
この目的を達成するため、この発明のインプラント窩形成用ドリルは、ドリル刃を有するドリル軸部が先端側に設けられ且つ回転駆動工具に取り付けるための工具取付軸部が基部側に設けられたドリル軸本体と、前記ドリル軸本体の軸線方向の中間部に設けられたストッパ取付部と、前記ストッパ取付部に軸線回りに回転自在に取り付けられたストッパ部材を備え、前記ストッパ取付部は前記ストッパ部材をフィクスチャー必要深さを形成する位置に保持していることを特徴とする。
【発明の効果】
【０００７】
この構成によれば、ドリル軸本体を回転させて顎骨にインプラント埋設用の埋設穴を形成する際に、ストッパ部材が顎骨に当接してドリルの進みを止めるので、ドリル軸部のストッパ部材までの寸法を設定しておくことで、必要以上に埋設穴を深く形成することなく、顎骨に形成するインプラント用の埋設穴の深さを所望の深さにできる。また、顎骨に埋設穴を形成する際に、ストッパ部材が顎骨に当接した状態でドリル軸本体を回転させても、ストッパ部材が顎骨に対して回転しないので、ストッパ部材が顎骨を傷つけることがなく、苦痛を与えることもない。
【図面の簡単な説明】
【０００８】
【図１】この発明に係るインプラント窩形成用ドリルの側面図である。
【図２】図１のインプラント窩形成用ドリルの分解側面図である。
【図３】図１のＡ１−Ａ１線に沿う断面図である。
【図４】図３のＡ２−Ａ２線に沿う断面図である。
【図５】図２のストッパ取付部の拡大説明図である。
【図６】図５の右側面図である。
【図７】図２の筒状ストッパの拡大説明図である。
【図８】図７の右側面図である。
【図９】（ａ）〜（ｃ）は長さを異ならせた筒状ストッパと識別部の説明図である。
【図１０】（ａ）〜（ｃ）は長さを異ならせた筒状ストッパと識別部の他の例を示す説明図である。
【図１１】（ａ）〜（ｃ）は長さを異ならせた筒状ストッパと識別部の更に他の例を示す説明図である。
【図１２】筒状ストッパの抜け止めの他の構成を示す説明図である。
【図１３】筒状ストッパの抜け止めの更に他の構成を示す説明図である。
【図１４】筒状ストッパの他の形状を示す説明図である。
【図１５】筒状ストッパの他の形状を示す説明図である。
【発明を実施するための形態】
【０００９】
以下、この発明の実施の形態を図面に基づいて説明する。
[構成]
図1は本発明に係るインプラント窩形成用ドリルを示し、図２は図１のインプラント窩形成用ドリルの分解側面図、図３は図１の要部断面図である。このインプラント窩形成用ドリルはドリル軸本体１と円形の筒状ストッパ（ストッパ部材）２を備えている。
＜ドリル軸本体１＞
ドリル軸本体１は、先端側に設けられたドリル刃３ａを有するドリル軸部３と、基部側に設けられ、図示しない回転駆動工具に取り付けられる工具取付軸部４を有する。このドリル取付軸部４の端部には、エア式又は電動式の回転駆動工具(図示せず)に装着固定されるチャック部４ａが形成されている。
【００１０】
また、図２に示したように、ドリル軸本体１の軸線方向の中間部にはストッパ取付部５が設けられている。このストッパ取付部５は、図２〜図６に示した、ドリル軸部３とドリル取付軸部４との間に位置する小径軸部１ａと、この小径軸部１ａの軸方向中間部に一体に形成された支持フランジ６を有する。
【００１１】
この支持フランジ６は、図４，図５に示したように、ドリル軸部３側の端面６ａと、ドリル取付軸部４側の端面６ｂと、外周面６ｃと、端面６ａの外周縁部６ｄと、端面６ｂの外周縁６ｅを有する。この支持フランジ６は、外周縁部６ｄが通常の面取より大きなＲ面取をした円盤状を呈している。また、支持フランジ６には、図２，図５，図６に示したように周方向に等間隔隔をおいて複数の切欠６ｆが形成されている。
＜筒状ストッパ２＞
筒状ストッパ２は、図１，図２，図4，図５，図７に示したように、小径筒部２ａと、この小径筒部２ａに同軸で一体に形成された大径筒部２ｂを有する。この小径筒部２ａは図１，図４に示したようにドリル軸部３のドリル取付軸部４側の端部に軸線回りに回転自在に嵌合され、大径筒部２ｂは図３，図４に示したように支持フランジ６に回転自在に嵌合されている。
【００１２】
尚、筒状ストッパ２内には、図１，図２，図４，図７に示したように、挿通孔７が形成されている。この挿通孔７は、小径筒部２ａ内に形成された小径孔部７ａと、大径筒部２ｂ内に形成された大径孔部７ｂと、小径孔部７ａと大径孔部７ｂとの間に形成された軸方向移動規制段部(第１当接部）７ｃを有する。この軸方向移動規制段部７ｃは、ドリル軸部３側から支持フランジ６の端面６ａに当接している。
【００１３】
また、図１，図２，図３〜図８に示したように、大径筒部２ｂには、支持フランジ６の工具取付軸部４側の外周縁６ｅに係合して軸方向移動規制ストッパ（第2当接部）となるストッパ爪９が、工具取付軸部４側に突出して一体に設けられている。このストッパ爪９は、支持フランジ６の複数の切欠６ｆにそれぞれ対応するように、周方向に間隔をおいて複数設けられている。しかも、ストッパ爪９は、軸方向平面視形状が尖頭を大径筒部２ｂの中心側に向けた三角形状に形成されている。そして、図４に示したように、ストッパ爪９の内側には、支持フランジ６の係合位置に案内する当接する傾斜当接面９ａが設けられている。尚、対向する一対のストッパ爪９，９の先端間の間隔Ａは、互いに反対側に位置する一対の切欠６ｆ，６ｆの間の間隔Ｂよりも僅かに狭く形成されている。
【００１４】
この支持フランジ６，軸方向移動規制段部７ｃ，ストッパ爪９等は、筒状ストッパ２をドリル軸本体１の軸線方向に移動不能にする移動規制部（移動規制機構）を構成している。
[作用]
次に、このような構成のインプラント窩形成用ドリルの組付およびその作用を説明する。
【００１５】
インプラント窩形成用ドリルのドリル軸本体１と筒状ストッパ２を組み付けるには、ドリル軸本体１のドリル軸部３をドリル刃３ａ側から筒状ストッパ２の挿通孔７に大径筒部２ｂ側から挿入して、筒状ストッパ２を支持フランジ６側に移動させる。
【００１６】
この移動操作に伴い、大径筒部２ｂの複数（図では４つ）のストッパ爪９の先端部を支持フランジ６の複数（図では４つ)の切欠６ｆにそれぞれ臨ませ、ストッパ爪９の先端部を支持フランジ６の端面６ａの周縁部に当接させる。この状態で、筒状ストッパ２をドリル取付軸部４側に押圧させると、対向する一対のストッパ爪９，９の先端が拡開するようにストッパ爪９の基部（大径筒部２ｂ側の基部）が撓んで、ストッパ爪９の先端が切欠９内に入り込んで筒状ストッパ２と共にドリル取付軸部４側に移動させられる。
【００１７】
尚、ストッパ爪９の先端部を支持フランジ６の切欠６ｆに臨ませない状態では、ストッパ爪９をドリル取付軸部４側に移動させる際に、対向する一対のストッパ爪９，９の先端が拡開するようにストッパ爪９の基部（大径筒部２ｂ側の基部）が撓みながら、ストッパ爪９の先端部が支持フランジ６のＲ面取をした外周縁部６ｄに案内されてドリル取付軸部４側に移動させられる。
【００１８】
このような移動に伴い、支持フランジ６の大半が大径筒部２ｂ内に嵌合されると共に、ストッパ爪９の先端部が支持フランジ６の外周面６ｃからドリル取付軸部４側に外れると、対向するストッパ爪９，９の先端の間隔がストッパ爪９の自己のバネ力で拡開する前の現状に復帰して、ストッパ爪９が筒状ストッパ２のドリル軸部３側への移動を規制する。この位置では、筒状ストッパ２の小径筒部２ａがドリル軸部３のドリル刃３ａとは反対側の端部に軸線回りに回転可能に嵌合する。
【００１９】
この状態では、挿通孔７の小径孔部７ａと大径孔部７ｂとの間の軸方向移動規制段部７ｃが支持フランジ６の端面に当接可能となると共に、図４のようにストッパ爪９の傾斜当接面９ａが支持フランジ６の外周縁６ｅに当接可能となる。これにより、軸方向移動規制段部７ｃとストッパ爪９とにより支持フランジ６を軸方向から挟むように僅かな隙間(図示せず）を持って保持させている。このように保持させることで筒状ストッパ２は、ドリル軸本体１の軸線回りには回転可能に且つドリル軸本体１に軸方向に移動不能に保持される。
【００２０】
また、筒状ストッパ２を取り外すには、ストッパ爪９の先端を支持フランジ６の切欠６ｆに位置合わせし、筒状ストッパ２をドリル刃３ａ側に強制的に移動させることにより、ストッパ爪９の先端が切欠６ｆ内に入り込んだ後に、切欠６ｆを通過させることにより行う。
【００２１】
このようにして組み立てられたインプラント窩形成用ドリルは、ドリル取付軸部４を図示しない回転駆動工具に取り付けて用いる。そして、ドリル軸部３のドリル刃３ａを図示しない顎骨に当てて、ドリル軸本体１を回転駆動工具(図示せず)により回転駆動させることで、顎骨にインプラント窩（埋設穴）を形成する。この際、筒状ストッパ２の小径筒部２ａが顎骨に当接した後は、ドリル軸本体１が回転させられた状態で顎骨側に押されても、ドリル軸部３は顎骨側に移動することなく筒状ストッパ２に対して回転するのみであるので、顎骨にはドリル刃３ａから小径筒部２ａまでの長さＣ以上の深い穴が開けられることはない。
【００２２】
尚、筒状ストッパ２は、ドリル軸部３のドリル刃３ａから小径筒部２ａの端面までの長さ(寸法)がフィクスチャー必要深さ（フィクスチャーを埋設するのに必要な深さ）となるように、小径筒部２ａの長さ（寸法）を設定しておく。この小径筒部２ａの長さ（寸法）は顎骨のフィクスチャーを埋設する場所や顎骨の大きさ等に応じて変わるので、小径筒部２ａのさ（寸法）が異なる筒状ストッパ２を複数用意しておいて、この長さの異なる筒状ストッパ２をドリル軸本体１に対して付け替えることで、インプラント窩（埋設穴）の深さを所望の深さに形成できる。即ち、具体的には、ドリル軸部３で顎骨に必要深さのインプラント窩（埋設穴）を開けるためのドリル軸部３の長さをＣ、支持フランジ６からドリル刃(刃先）３ａまでの長さ(寸法）をＬ、軸方向移動規制段部７ｃから筒状ストッパ２の小径筒部２ａの先端までの長さ（寸法）をＢとしたとき、必要深さのインプラント窩（埋設穴）に対応する長さＣは、
Ｃ＝（Ｌ−Ｂ）
となる。従って、この長さＢの異なる筒状ストッパ２を複数個用意しておいて、この長さＢの異なる複数個の筒状ストッパ２から顎骨のフィクスチャーを埋設する場所や顎骨の大きさ等に応じた深さのインプラント窩（埋設穴）を形成可能な、ものを選択して、ドリル軸本体１に装着して使用する。また、長さＢの異なる複数の筒状ストッパ２は、図９（ａ）〜（ｃ）に示したように、異なる色に着色した着色部(外周面）Ｍ１を長さ識別部としておくことで、直感的に判断できる。また、長さ識別部としては、図１０（ａ）〜（ｃ）に示したような周方向に延びる識別線Ｌａや、図１１（ａ）〜（ｃ）に示したような識別形状Ｓａ等のマークＭｃであっても良い。この場合、例えば識別線Ｌａが増える毎に長さＢが所定ピッチで大きくなるような設定であっても良し、識別形状Ｓａの数が増える毎に長さＢが所定ピッチで大きくなるような設定であっても良い。尚、識別形状Ｓａとしては星印としたが三角形や四角形或いは○等であっても良い。
【００２３】
また、ドリル軸部３は筒状ストッパ２内に遊び無く回転可能に嵌合させる必要がある。しかし、ドリル軸本体１はドリル軸部３の径Ｄが異なるものが複数用意されているので、異なる径Ｄのドリル軸部３を筒状ストッパ２に遊び無く回転可能に嵌合させるには、異なる径Ｄのドリル軸部３に対応した筒状ストッパ２をそれぞれ用意しておく必要がある。この場合も、ドリル軸部３の径と筒状ストッパ２の内径の対応関係が一目で分かる径識別部を設けておくのが望ましい。この場合、径識別部に上述した長さ識別部と同じような着色やマークを用いることができる。
【００２４】
径識別部を色違いとする場合、例えば径Ｄのドリル軸部３を有するドリル軸本体１と、径Ｄのドリル軸部３に対応する内径（径Ｄのドリル軸部３に遊び無く回転可能に嵌合する内径）の筒状ストッパ２は同じ色例えば白色に設定しておく。この場合、ドリル軸本体１側の形式別部は支持フランジ６または工具取付軸部４の外面とすることができる。
【００２５】
この色違いとする場合、例えば径Ｄが２φのドリル軸部３を有するドリル軸本体１と、この２φの径Ｄのドリル軸部３に対応する内径（２φの径Ｄのドリル軸部３に遊び無く回転可能に嵌合する内径）の筒状ストッパ２は同じ色例えば白色に設定することができる。また、この径Ｄを３φとした場合には径識別部の色を赤色等にできる。同様に径を変える毎にドリル軸部３及び筒状ストッパ２の色を同じにすることで、ドリル軸部３と筒状ストッパ２を遊び無く回転可能に嵌合させる対応関係が容易に分かるようにすることができる。尚、このような径の具体的例と色との関係は一例を示したものであって、径識別部の色は説明した色に限定されるものではない。また、径識別部にマークを用いた場合にも、ドリル軸部３と筒状ストッパ２とはマークの数が同じもの同士が対応関係があるように設定できる。
【００２６】
しかし、径識別部と長さ識別部を同時に用いる場合には、図１２に示したように混同を避けるために、長さ識別部に色を用いて径識別部にマークＭｃを用いるか、これとは逆に長さ識別部にマークＭｃを用いて径識別部Ｍ２に色を用いると良い。
【００２７】
このように径識別部や長さ識別部に、数値ではなく色やマークを用いることで、径や長さの異なる複数種類のドリル軸本体１や筒状ストッパ２が工具保持部に保持されていても、インプラント窩（埋設穴）形成するのに必要な径Ｄのドリル軸本部を有するドリル軸本体１や必要深さのインプラント窩（埋設穴）を形成するのに必要な長さを有する筒状ストッパ２等を、直感的に迅速且つ容易に識別判断ができる。
【００２８】
尚、上述した実施例では、大径筒部２ｂにストッパ爪９を設けて、支持フランジ６が大径筒部２ｂから抜けないようにしたが、必ずしもこれに限定されるものではない。例えば、図１３に示したようにドリル取付軸部４に嵌合した抜止用筒体２０に支持フランジ６の端面に当接する抜止部２０ａを設けると共に、この抜止用筒体を大径筒部２ｂの外周に螺着又は軽圧入した構成としてもよい。
【００２９】
また、図１４に示したように、ドリル取付軸部４に嵌合した抜止用筒体２１を大径筒部２ｂの外周に螺着して、抜止用筒体２１と軸方向移動規制段部７ｃとの間で筒状ストッパ２が軸方向に移動しないようにしても良い。
【００３０】
更に、筒状ストッパ２は、大径筒部２ａと小径筒部２ｂを設けた構成としたが、必ずしも大径筒部２ａは必要ではなく、図１５に示したように長さ方向で全体が同じ外径であっても良い。
【００３１】
以上説明したように、この発明の実施の形態のインプラント窩形成用ドリルは、ドリル刃３ａを有するドリル軸部３が先端側に設けられ且つ回転操作工具に取り付けるためのドリル取付軸部４が基部側に設けられたドリル軸本体１と、前記ドリル軸本体１の軸線方向の中間部に設けられたストッパ取付部５と、前記ストッパ取付部５に軸線回りに回転自在に取り付けられたストッパ部材（筒状ストッパ２）を備え、前記ストッパ取付部５は前記ストッパ部材（筒状ストッパ２）をフィクスチャー必要深さを形成する位置に保持している。
【００３２】
この構成によれば、ドリル軸本体１を回転させて顎骨にインプラント埋設用の埋設穴を形成する際に、ストッパ部材（筒状ストッパ２）が顎骨に当接してドリル（ドリル軸部３）の進みを止めるので、ドリル軸部３のストッパ部材（筒状ストッパ２）までの寸法を設定しておくことで、必要以上に埋設穴を深く形成することなく、顎骨に形成するインプラント用の埋設穴の深さを所望の深さにできる。また、顎骨に埋設穴を形成する際に、ストッパ部材（筒状ストッパ２）が顎骨に当接した状態で、ドリル軸本体１を回転させてもストッパ部材（筒状ストッパ２）が顎骨に対して回転しないので、ストッパ部材（筒状ストッパ２）が顎骨を傷つけることがなく、苦痛を与えることもない。
【００３３】
また、この発明の実施の形態のインプラント窩形成用ドリルにおいて、前記ストッパ部材は前記ストッパ取付部に回転自在に嵌合保持された筒状ストッパ２である。この構成によれば、簡単な構成でドリル軸本体１を回転させて顎骨にインプラント埋設用の埋設穴を形成する際に、ストッパ部材（筒状ストッパ２）が顎骨に当接してドリル（ドリル軸部３）の進みを止めることができる。
【００３４】
更に、この発明の実施の形態のインプラント窩形成用ドリルにおいて、前記ストッパ取付部５は前記ドリル軸部３と前記工具取付軸部４との間に設けられた支持フランジ６を有し、前記筒状ストッパ２の軸挿通孔７内に前記支持フランジ６が回転自在に保持されている。この構成によれば、簡単な構成で筒状ストッパ２を支持フランジ６に回転自在に保持させることができる。
【００３５】
また、この発明の実施の形態のインプラント窩形成用ドリルにおいて、前記筒状ストッパ２は、前記筒状ストッパ２内の軸挿通孔７に設けられた段部（軸方向移動規制段部７ｃ）と前記筒状ストッパ２の端部に一体に設けられたストッパ爪９との間で回転自在に保持されている。この構成によれば、簡単な構成で筒状ストッパ２をストッパ取付部５に回転自在に且つ軸方向に移動不能にことができる。
【００３６】
また、この発明の実施の形態のインプラント窩形成用ドリルにおいて、前記支持フランジ６の前記ドリル軸部３側の端面の周縁部（６ｄ）には、前記筒状ストッパ２を前記支持フランジ６に嵌合させる際に前記ストッパ爪９の先端部を半径方向にガイドして前記ストッパ爪９を拡開させる大きな面取施されている。この構成によれば、簡単な構成で筒状ストッパ２を支持フランジ６に組付保持させることができる。
【００３７】
また、この発明の実施の形態のインプラント窩形成用ドリルにおいて、前記支持フランジ６の周面には周方向に間隔をおいて複数の切欠６ｆが形成されている。この構成によれば、前記ストッパ爪９の先端を切欠６ｆに合わせて、筒状ストッパ２を強制的にドリル軸部３側に引っ張ることで、筒状ストッパ２をドリル軸本体１から容易に取り外すことができるので、筒状ストッパ２の交換を容易に行うことができる。
【００３８】
更に、この発明の実施の形態のインプラント窩形成用ドリルにおいて、前記筒状ストッパ２には前記必要深さを示す識別部を外観から判断可能に設けている。この構成によれば、使用者は識別部を外観から直感的に判断できるので、使用間違いを避けることができる。
【００３９】
また、この発明の実施の形態のインプラント窩形成用ドリルにおいて、前記識別部は互いに異なる色の着色部又は異なるマーク、若しくはこれらの組み合わせとしている。この構成によれば、識別部の構成が簡単であるので、使用者は識別部を外観から直感的に判断できるので、使用間違いを避けることができる。
【符号の説明】
【００４０】
１ ドリル軸本体
２ 筒状ストッパ（ストッパ部材）
２ａ 小径筒部
２ｂ 大径筒部（ストッパ部）
３ ドリル軸部
３ａ ドリル刃
４ ドリル取付軸部
５ ストッパ取付部
６ 支持フランジ
６ａ 端面
６ｂ 端面
６ｃ 外周面
６ｄ 外周縁部
６ｅ 外周縁
６ｆ 切欠
７ 挿通孔
７ａ 小径孔部
７ｂ 大径孔部
７ｃ 軸方向移動規制段部
９ ストッパ爪
９ａ 傾斜当接面
【図１】
2011206195.tif 000003
【図２】
2011206195.tif 000004
【図３】
2011206195.tif 000005
【図４】
2011206195.tif 000006
【図５】
2011206195.tif 000007
【図６】
2011206195.tif 000008
【図７】
2011206195.tif 000009
【図８】
2011206195.tif 000010
【図９】
2011206195.tif 000011
【図１０】
2011206195.tif 000012
【図１１】
2011206195.tif 000013
【図１２】
2011206195.tif 000014
【図１３】
2011206195.tif 000015
【図１４】
2011206195.tif 000016
【図１５】
2011206195.tif 000017